(57)【特許請求の範囲】
【請求項１】
複数の楽音パラメータによって楽音特性を制御する複数の効果制御から実施対象の効果制御を選択する少なくとも１つの選択操作子と、
設定可能な効果制御の各々における楽音パラメータの設定に共通して用いられ、１つの前記選択操作子に対応し且つ前記選択操作子に隣接して複数設けられ、各々、楽音パラメータを設定するパラメータ操作子と、
前記選択操作子により選択された実施対象の効果制御において、対応する前記パラメータ操作子により設定された楽音パラメータに基づいて楽音特性を制御する制御手段と、を有し、
前記選択操作子は、いずれかの効果制御を実施対象として選択する位置と、いずれの効果制御も実施対象として選択しないニュートラル位置とに位置を切り替えることができることを特徴とする楽音制御装置。
【請求項２】
前記パラメータ操作子は、１つの前記選択操作子に対応して２つ設けられ、前記選択操作子を挟んで両側に配置されたことを特徴とする請求項１記載の楽音制御装置。
【請求項３】
前記選択操作子と前記パラメータ操作子との組は複数組が存在し、前記複数組における全ての前記選択操作子及び前記パラメータ操作子は一直線上に配置されたことを特徴とする請求項２記載の楽音制御装置。
【請求項４】
前記選択操作子は非回転型の操作子であり、前記パラメータ操作子は回転型の操作子であることを特徴とする請求項１〜３のいずれか１項に記載の楽音制御装置。
【発明の詳細な説明】
【技術分野】
【０００１】
本発明は、複数の楽音パラメータによって楽音特性を制御する効果制御を行える楽音制御装置に関する。
【背景技術】
【０００２】
従来、楽器等に搭載されるものとして、楽音特性を制御する効果制御を行うにあたって、効果制御における楽音パラメータを設定する楽音制御装置が知られている。効果制御としては、トレモロ、ワウ、コーラス、ビブラート等がある。例えば、下記特許文献１の電子音楽装置では、操作パネルによって楽音パラメータを設定する。操作パネルにおいては、音色パラメータ設定領域内に、種々の楽音パラメータを設定するための回転型の操作子が楽音パラメータ毎に個別に配置されている。
【先行技術文献】
【特許文献】
【０００３】
【特許文献１】特開２００２−１６９５５９号公報
【発明の概要】
【発明が解決しようとする課題】
【０００４】
しかしながら、上記特許文献１では、効果制御毎に操作子が個別に設けられるため、多種類の効果制御における楽音パラメータの設定に対応するために操作子の配置スペースを多く要するという問題があった。
【０００５】
本発明は上記従来技術の問題を解決するためになされたものであり、その目的は、複数の効果制御における楽音パラメータの設定のために要する操作子の配置スペースを小さくすることができる楽音制御装置を提供することにある。
【課題を解決するための手段】
【０００６】
上記目的を達成するために本発明の請求項１の楽音制御装置は、複数の楽音パラメータによって楽音特性を制御する複数の効果制御から実施対象の効果制御を選択する少なくとも１つの選択操作子（ＴＳＷ）と、設定可能な効果制御の各々における楽音パラメータの設定に共通して用いられ、１つの前記選択操作子に対応し且つ前記選択操作子に隣接して複数設けられ、各々、楽音パラメータを設定するパラメータ操作子（ＲＳＷ）と、前記選択操作子により選択された実施対象の効果制御において、対応する前記パラメータ操作子により設定された楽音パラメータに基づいて楽音特性を制御する制御手段（５）と、を有し、前記選択操作子は、いずれかの効果制御を実施対象として選択する位置と、いずれの効果制御も実施対象として選択しないニュートラル位置とに位置を切り替えることができることを特徴とする。
【０００７】
なお、上記括弧内の符号は例示である。
【発明の効果】
【０００８】
本発明の請求項１によれば、複数の効果制御における楽音パラメータの設定のために要する操作子の配置スペースを小さくすることができる。また、効果制御を不実施とすることができる。
【０００９】
請求項２によれば、選択操作子とパラメータ操作子との対応関係が視覚的に明確で、操作もしやすい。請求項３によれば、多数の効果制御における楽音パラメータの設定状態を視覚的に認識しやすく、操作もしやすい。請求項４によれば、効果制御の選択と楽音パラメータの設定とで操作体系が異なるので操作を誤りなく行いやすい。
【図面の簡単な説明】
【００１０】
【図１】楽音制御装置が適用される電子鍵盤楽器の部分平面図（図（ａ））、１つの楽音操作部の平面図（図（ｂ））、側面図（図（ｃ））、後傾、前傾操作時の平面図（図（ｄ）、（ｅ））である。
【図２】電子鍵盤楽器の全体構成を示すブロック図（図（ａ））、楽音操作検出回路部の詳細構成を示す図（図（ｂ））である。
【図３】メイン処理のフローチャートである。
【図４】タイマインタラプト処理のフローチャートである。
【図５】変形例の楽音操作部の平面図（図（ａ）〜（ｃ））である。
【発明を実施するための形態】
【００１１】
以下、本発明の実施の形態を図面を参照して説明する。
【００１２】
図１（ａ）は、本願発明の一実施の形態に係る楽音制御装置が適用される電子鍵盤楽器の部分平面図である。この電子鍵盤楽器１０は鍵盤ＫＢを有し、上面であるパネル面１０ａに各種の操作子群が配設される。操作子群の中には複数の楽音操作部２０（２０Ａ、２０Ｂ、２０Ｃ）が含まれる。奏者からみて電子鍵盤楽器１０の手前を前側とする。
【００１３】
図１（ｂ）、（ｃ）、（ｄ）、（ｅ）はそれぞれ、１つの楽音操作部２０の平面図、側面図、後傾、前傾操作時の平面図である。楽音操作部２０は、実施対象の効果制御を選択する選択操作子として、パネル面１０ａから突出したトグル操作子ＴＳＷを有する。トグル操作子ＴＳＷは、操作によって３つの位置を維持することができる。トグル操作子ＴＳＷはまず、パネル面１０ａに対して略垂直に起立するニュートラル位置（中立位置）をとることができる（図１（ｂ））。また、ニュートラル位置から前後方向に傾倒操作可能である（図１（ｃ））。奏者等のユーザが、トグル操作子ＴＳＷをニュートラル位置から後方または前方へ倒すように操作すると、それぞれ後傾位置（図１（ｄ））、前傾位置（図１（ｅ））をとり、手を離してもその位置を維持する。
【００１４】
３つの楽音操作部２０の構成は基本的に同様であり、設定を担当する効果制御の内容が異なる。従って、構成については１つを例示する。図１（ｂ）に示す楽音操作部２０（２０Ａであるとする）においては、１つのトグル操作子ＴＳＷの左側、右側の両側に、それぞれ回転型の回転操作子ＲＳＷ（ＲＳＷ１、ＲＳＷ２）がトグル操作子ＴＳＷを挟んで隣接配置される。回転操作子ＲＳＷは、楽音パラメータを設定するパラメータ操作子としての機能を果たす。楽音操作部２０にはＬＥＤ等で成る１つの発光部１９が設けられる。楽音操作部２０内の機能が有効である場合に対応する発光部１９が点灯される。
【００１５】
楽音操作部２０Ａ、２０Ｂ、２０Ｃのそれぞれにおいて、回転操作子ＲＳＷ１、トグル操作子ＴＳＷ、回転操作子ＲＳＷ２が左右方向に一直線上に配置され、楽音操作部２０Ａ、２０Ｂ、２０Ｃ自体も左右方向に一直線上に配置される。従って、全ての回転操作子ＲＳＷ及びトグル操作子ＴＳＷは一直線上に配置される（図１（ａ））。
【００１６】
選択可能な効果制御の表記として、トグル操作子ＴＳＷの後側に「ＴＲＥＭＯＬＯ」、前側に「ＷＡＨ」の文字が付されている。トグル操作子ＴＳＷは、２つの効果制御のうち実施対象とする効果制御を選択するための操作子であり、後傾または前傾によっていずれかの効果制御が有効となる。例えば、トグル操作子ＴＳＷが後傾状態にあるときには効果制御としてトレモロが有効となり、前傾状態にあるときには効果制御としてワウが有効となる。トグル操作子ＴＳＷをニュートラル位置にすると、いずれの効果制御も実施対象とされず、効果制御を不実施とすることができる。
【００１７】
３つの楽音操作部２０は、それぞれ、楽音特性を制御する２つの効果制御の設定を担当する。図１（ｂ）に示すものはトレモロとワウであったが、他の楽音操作部２０においては、例えば、楽音操作部２０Ｂではコーラスとフェイザー、楽音操作部２０Ｃではディレイとエコーが、選択可能な効果制御として例示される。いずれの効果制御も、複数の楽音パラメータによって楽音特性を制御するものである。本実施の形態では、効果制御の各々に関して２つの楽音パラメータが設定され、楽音パラメータは回転操作子ＲＳＷ１、ＲＳＷ２の回転操作によって設定される。楽音パラメータの例として、回転操作子ＲＳＷ１で設定される「ＤＥＰＴＨ」（デプス）と、回転操作子ＲＳＷ２で設定される「ＲＡＴＥ」（レート）がある。デプスは波形における振幅（揺れの深さ）を規定し、レートは波長（揺れの速さ）を規定する。なお、楽音操作部２０Ｂ、２０Ｃにおいて回転操作子ＲＳＷで設定される楽音パラメータとしては、デプスと「ＴＩＭＥ」（タイム）が例示される。
【００１８】
図２（ａ）は、電子鍵盤楽器１０の全体構成を示すブロック図である。
【００１９】
電子鍵盤楽器１０は、検出回路３、検出回路４、ＲＯＭ６、ＲＡＭ７、タイマ８、表示装置９、ＭＩＤＩインターフェイス（ＭＩＤＩＩ／Ｆ）１１、通信インターフェイス（通信Ｉ／Ｆ）１２、発光部１９、音源回路１３及び効果回路１４が、バス１６を介してＣＰＵ５にそれぞれ接続されて構成される。
【００２０】
さらに、検出回路３には、演奏操作子１から鍵等の操作情報が入力され、検出回路４には、複数のスイッチを含む設定操作子２から各種操作情報が入力される。表示装置９は楽譜や文字等の各種情報を表示する。ＣＰＵ５にはタイマ８が接続され、ＭＩＤＩＩ／Ｆ１１には他のＭＩＤＩ機器１００が接続されている。通信Ｉ／Ｆ１２には通信ネットワーク１０１を介してサーバコンピュータ１０２が接続され、音源回路１３には効果回路１４を介してサウンドシステム１５が接続されている。検出回路３は演奏操作子１の操作状態を検出し、検出回路４は設定操作子２の操作状態を検出する。設定操作子２には、効果制御操作子が含まれ、効果制御操作子には上記した複数の楽音操作部２０が含まれる。検出回路４には楽音操作検出回路部４０が含まれる。
【００２１】
ＣＰＵ５は、本楽器全体の制御を司る。ＲＯＭ６は、ＣＰＵ５が実行する制御プログラムや各種テーブルデータ等を記憶する。ＲＡＭ７は、演奏データ、テキストデータ等の各種入力情報、各種フラグやバッファデータ及び演算結果等を一時的に記憶する。タイマ８は、タイマ割り込み処理における割り込み時間等の各種時間を計時する。
【００２２】
ＭＩＤＩＩ／Ｆ１１は、他のＭＩＤＩ機器１００等の外部装置からのＭＩＤＩ（Musical Instrument Digital Interface）信号を入力したり、ＭＩＤＩ信号を外部装置に出力したりする。通信Ｉ／Ｆ１２は、通信ネットワーク１０１を介して、例えばサーバコンピュータ１０２とデータの送受信を行う。音源回路１３は、演奏操作子１から入力された演奏データや予め設定された演奏データ等を楽音信号に変換する。効果回路１４は、音源回路１３から入力される楽音信号に各種効果を付与し、ＤＡＣ（Digital-to-Analog Converter）やアンプ、スピーカ等で構成されるサウンドシステム１５は、効果回路１４から入力される楽音信号等を音響に変換する。音源回路１３及び効果回路１４で楽音信号発生部１７が構成され、楽音信号発生部１７は特に、発生させる楽音に、トレモロ、ワウ、コーラス、フェイザー、ディレイ、エコー等の効果を付与することが可能である。
【００２３】
図２（ｂ）は、楽音操作検出回路部４０の詳細構成を示す図である。楽音操作検出回路部４０は、楽音操作部２０ごとに設けられる。回転操作子ＲＳＷ１、ＲＳＷ２は、それぞれ、可変抵抗を用いたボリューム型の操作子として構成され、回転位置に応じた電圧信号を出力する。なお、これらの回転操作子ＲＳＷを、グレイコードを出力するデジタルスイッチで構成し、検出回路４を介してＣＰＵ５へ信号が送出されるように構成してもよい。楽音操作部２０において、コモン端子が、トグル操作子ＴＳＷを後傾位置にすると端子４１に導通し、前傾位置にすると端子４２に導通し、ニュートラル位置にすると端子４３に導通する。これによって、各々接続された位置の電圧の情報が検出回路４を介してＣＰＵ５に取り込まれる。楽音操作部２０Ａを例にとると、効果制御において、トグル操作子ＴＳＷが後傾位置にあるときには回転操作子ＲＳＷ１、ＲＳＷ２の出力がトレモロ効果に反映され、トグル操作子ＴＳＷが前傾位置にあるときにはワウ効果に反映される。
【００２４】
図３は、メイン処理のフローチャートである。この処理は、電子鍵盤楽器１０の電源投入時に開始され、ＣＰＵ５により実行される。
【００２５】
まず、所定プログラムの実行を開始し、ＲＡＭ７等の各種レジスタに初期値を設定して初期設定を行う（ステップＳ１０１）。次に、キースキャン処理を実行する（ステップＳ１０２）。すなわち、演奏操作子１及び設定操作子２における全ての操作子の操作イベントを走査する。
【００２６】
次に、操作があった操作子が演奏操作子１等の鍵スイッチ群であれば（ステップＳ１０３）、ＣＰＵ５は鍵の操作情報を楽音信号発生部１７へ送出し、楽音の発生や消音の処理を実行する（ステップＳ１０７）。また、操作があった操作子が設定操作子２における音色スイッチ群であれば、ＣＰＵ５は対応する音色情報を楽音信号発生部１７へ送出し、楽音の音色設定の処理を実行する（ステップＳ１０８）。ステップＳ１０７、Ｓ１０８の後、処理はステップＳ１０２に戻る。
【００２７】
操作があった操作子が鍵スイッチ群または音色スイッチ群でない場合は、ＣＰＵ５は、操作があった操作子が効果制御操作子であり、且つ、タイマインタラプトのタイミングが到来したか否かを判別する（ステップＳ１０５）。その判別の結果、ＣＰＵ５は、操作があった操作子が効果制御操作子であり、且つ、タイマインタラプトのタイミングが到来した場合はタイマインタラプト処理（図４）を実行し（ステップＳ１０６）、そうでない場合はタイマインタラプト処理することなく、処理をステップＳ１０２に戻す。
【００２８】
図４は、図３のステップＳ１０６で実行されるタイマインタラプト処理のフローチャートである。
【００２９】
まず、ＣＰＵ５は、いずれかのトグル操作子ＴＳＷ（トグルＳＷ）の新たなオンイベントが有ったか否かを判別する（ステップＳ２０１）。ここでは、ニュートラル位置から後傾または前傾操作が有った場合にオンイベントが有ったとされる。その判別の結果、新たなオンイベントが有った場合は、オンイベントが有ったトグル操作子ＴＳＷ及びそれに対応する回転操作子ＲＳＷを特定する情報と各々の操作位置の情報をＲＡＭ７のレジスタに取り込む（ステップＳ２０２）。
【００３０】
ここで、これらの情報にはＳＷ−ＩＤ、ＳＷ位置、Ｒ−ＩＤ、回転位置がある。このうちＳＷ−ＩＤは、３つのトグル操作子ＴＳＷの各々を特定する情報である。ＳＷ位置は、各トグル操作子ＴＳＷの位置（後傾、前傾、中立）を特定する情報である。Ｒ−ＩＤは、各トグル操作子ＴＳＷに対応する（同じ楽音操作部２０にある）回転操作子ＲＳＷを特定する情報である。回転位置は、回転操作子ＲＳＷ１、ＲＳＷ２のそれぞれの回転位置を特定する情報である。
【００３１】
ステップＳ２０１の判別の結果、新たなオンイベントがなかった場合、または、ステップＳ２０２の処理後は、ステップＳ２０３に進む。ステップＳ２０３では、オン状態のトグル操作子ＴＳＷに対応する回転操作子ＲＳＷの回転操作があったか否かを判別する。オン状態のトグル操作子ＴＳＷとは、後傾または前傾となっているトグル操作子ＴＳＷのことである。その判別の結果、オン状態のトグル操作子ＴＳＷに対応する回転操作子ＲＳＷの回転操作がない場合は、処理をステップＳ２０７に進める一方、対応する回転操作子ＲＳＷの回転操作があった場合は、ステップＳ２０４に処理を進める。
【００３２】
ステップＳ２０４では、オン状態のトグル操作子ＴＳＷに対応する回転操作子ＲＳＷ１（デプス）のＲ−ＩＤ及び回転位置を取得し、その回転位置が０であるならば対応する発光部１９を消灯し、回転位置が０以外であるならば対応する発光部１９を点灯する。次に、取得したＲ−ＩＤ及び回転位置の情報をレジスタに取り込む（ステップＳ２０５）。
【００３３】
次に、有効な効果制御毎のデプス値ＤＰ、レート値ＲＴを更新する（ステップＳ２０６）。ここで、有効な効果制御とは、オン状態のトグル操作子ＴＳＷの位置で規定される実施対象の効果制御のことであり、ＳＷ−ＩＤ及びＳＷ位置から求められ、同時に複数が対象となり得る。デプス値ＤＰ、レート値ＲＴは、実施対象の効果制御に対応する回転操作子ＲＳＷ１、ＲＳＷ２の位置で規定される楽音パラメータであり、Ｒ−ＩＤ及び回転位置から求められる。
【００３４】
次に、ステップＳ２０７では、いずれかの音高の楽音が発音中であるか否かを判別し、発音中でない場合は、有効な効果制御における楽音パラメータを変更することなく処理をステップＳ２０９に移行させる。一方、いずれかの音高の楽音が発音中である場合は、ＣＰＵ５は、有効な効果制御のうち、前回のタイマインタラプト処理時からデプス値ＤＰまたはレート値ＲＴに変化のあった効果制御につき、変化したデプス値ＤＰまたはレート値ＲＴに基づいて楽音パラメータを変更する（ステップＳ２０８）。その後、ステップＳ２０９に進む。これにより、トグル操作子ＴＳＷで選択された実施対象の効果制御において、対応する回転操作子ＲＳＷにより設定された楽音パラメータに基づいて楽音特性が制御される。
【００３５】
例えば、楽音操作部２０Ａにおいて、トグル操作子ＴＳＷを「ＴＲＥＭＯＬＯ」の側に後傾させて回転操作子ＲＳＷ１、ＲＳＷ２を回転操作することで、トレモロ効果のデプス、レートを設定することができる。また、トグル操作子ＴＳＷを「ＷＡＨ」に前傾させて回転操作子ＲＳＷ１、ＲＳＷ２を回転操作することで、ワウ効果のデプス、レートを設定することができる。回転操作子ＲＳＷが２つの効果制御における楽音パラメータの設定を兼ねるので、操作子の数を少なくし、配置スペースを小さくすることができる。しかも、トレモロとワウは、特性を制御するための楽音パラメータ（デプス、レート）が共通しており、操作体系が理解しやすい。
【００３６】
ステップＳ２０９では、前回のタイマインタラプト処理後に新たに操作されたトグル操作子ＴＳＷがある場合において、その操作がニュートラル位置への操作であるか否かを、前回のタイマインタラプト処理時からのＳＷ−ＩＤ及びＳＷ位置の情報の変化から判別する。その判別の結果、トグル操作子ＴＳＷの操作がニュートラル位置への操作である場合は、対応する発光部１９を消灯し（ステップＳ２１１）、対応するレジスタを初期化して（ステップＳ２１２）、図４の処理を終了させる。一方、トグル操作子ＴＳＷの操作がニュートラル位置への操作でない場合は、対応する発光部１９を点灯し（ステップＳ２１０）、図４の処理を終了させる。
【００３７】
なお、楽音操作部２０以外の効果制御操作子の操作が有った場合は、図示しない「その他の処理」により、操作に応じた制御が実行される。
【００３８】
本実施の形態によれば、トグル操作子ＴＳＷで実施対象の効果制御が選択され、トグル操作子ＴＳＷに対応する回転操作子ＲＳＷによって、実施対象となっている効果制御に関する楽音パラメータが設定され、設定された楽音パラメータに基づいて楽音特性が制御される。回転操作子ＲＳＷは、設定可能な効果制御の各々における楽音パラメータの設定に共通して用いられる。これにより、複数の効果制御における楽音パラメータの設定のために要する操作子の配置スペースを小さくすることができる。
【００３９】
また、トグル操作子ＴＳＷをニュートラル位置にすることで、いずれの効果制御も実施対象として選択しないことが可能であるので、効果制御を不実施とすることができる。
【００４０】
また、パラメータ操作子としての２つの回転操作子ＲＳＷが、効果制御の選択操作子としてのトグル操作子ＴＳＷを挟んで両側に配置されたので、選択操作子とパラメータ操作子との対応関係が視覚的に明確で、操作もしやすい。しかも、複数組（３組）における回転操作子ＲＳＷ及びトグル操作子ＴＳＷは全て左右方向に一直線上に配置されたので、多数の効果制御における楽音パラメータの設定状態を視覚的に認識しやすく、操作もしやすい。さらに、効果制御の選択操作子としてのトグル操作子ＴＳＷは非回転型の操作子であって傾倒操作する操作子である一方、パラメータ操作子としての回転操作子ＲＳＷは回転操作型の操作子であることから、効果制御の選択と楽音パラメータの設定とで操作体系が異なるので操作を誤りなく行いやすい。
【００４１】
図５で、各種の変形例を説明する。図５（ａ）、（ｂ）、（ｃ）は、変形例の楽音操作部２０の平面図である。
【００４２】
図１に示した楽音操作部２０では、トグル操作子ＴＳＷは傾倒操作するタイプであったが、操作の態様は問わない。図５（ａ）に例示するように、トグル操作子ＴＳＷはスライド操作のように直線的に動かすタイプであってもよい。また、回転操作子ＲＳＷとトグル操作子ＴＳＷとで成る組は１組としてもよいが、図１（ａ）示したように複数組とした場合でも、それら複数組における回転操作子ＲＳＷ、トグル操作子ＴＳＷを一直線上に配置する方向は左右方向に限られない。例えば、図５（ｂ）に示すように、前後方向に一直線上に配置してもよい。あるいは、楽音制御装置の適用される装置によっては、回転操作子ＲＳＷ、トグル操作子ＴＳＷを上下方向へ一直線上に配置してもよい。
【００４３】
なお、各楽音操作部２０においてトグル操作子ＴＳＷに対応する回転操作子ＲＳＷの数は２つ以上であればよく、図５（ｃ）に示すように３つでもよい。その場合、回転操作子ＲＳＷ１、ＲＳＷ２、ＲＳＷ３を三角形の頂点の位置に配置してもよい。なお、１つのトグル操作子ＴＳＷで選択可能な効果制御は２つ以上であればよい。選択可能な効果制御を３つとする場合は、トグル操作子ＴＳＷの傾倒等の操作方向を、異なる３つの方向として設ければよい。なお、操作子ＴＳＷはトグル操作子でなくてもよく、円盤型や平らな三角柱状の操作子としてもよい。この場合、回転操作子ＲＳＷ１、ＲＳＷ２、ＲＳＷ３のある３方向において、それぞれ押しボタンスイッチを配設する。そして操作子ＴＳＷを傾倒させると、対応する押しボタンスイッチがオンとなることで効果制御が選択される構成としてもよい。
【００４４】
なお、上記各実施の形態においては、各楽音操作部２０において、いずれかの効果制御が選択されて有効となっている場合に、デプスが０でない限り、対応する発光部１９を点灯させた。これにより、効果制御が有効になっていることをユーザは知ることができる。しかし、効果制御が有効であることを報知する手段としては、発光部１９に限られず、画面表示でもよいし、単一のＬＥＤによる発光色の切り替えでもよい。
【００４５】
なお、本発明の楽音制御装置の適用は、楽器に限られず、他の種類の楽器、ＰＡ機器、カラオケ装置、ゲーム装置、通信端末等の装置に適用されてもよいし、各装置の操作パネル等、ユーザインターフェイスとして構成されてもよい。あるいは、各装置と一体に楽音制御装置が構成される必要はなく、外付けの楽音制御装置であってもよい。
【００４６】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４７】
ＴＳＷ  トグル操作子（選択操作子）、  ＲＳＷ  回転操作子（パラメータ操作子）、  ５  ＣＰＵ（制御手段）
【図１】
0006519233.tif 000002
【図２】
0006519233.tif 000003
【図３】
0006519233.tif 000004
【図４】
0006519233.tif 000005
【図５】
0006519233.tif 000006